(57)【特許請求の範囲】
【請求項１】
壁面２への取付板３の両端に突設したロールペーパー保持板４間に、ペーパー切断兼用カバー６を設けたペーパーホルダ１における上記カバー６基端と取付板３との隙間に上方から差込み可能な差込み板１１を備え、該差込み板の先端から底板１３を突設して、該底板の両端から上記収納容器体２０の周壁２１に係合可能な弾性側板１４を起立すると共に、両弾性側板間の底板１３部分に、上記収納容器体２０の底壁に係合可能な凹凸の係合手段１９、２４を設けたことを特徴とする請求項１記載の容器保持具。
【請求項２】
上記弾性側板１４の先端部内面に、上記収納容器体２０の周壁２１に係合可能な係合爪１５を、また、先端部外面に指掛け片１７を、それぞれ設けたことを特徴とする請求項１記載の容器保持具。
【請求項３】
上記差込み板１１の基端部を屈曲して、該屈曲部を上記カバー６基端と取付板３との隙間に差込み可能に形成したことを特徴とする請求項１記載の容器保持具。
【発明の詳細な説明】
【技術分野】
【０００１】
本発明は、ロールペーパーを巻き出し可能に保持するペーパーホルダに着脱自在に取付け可能な容器保持具に関する。
【背景技術】
【０００２】
便所は一般に狭小空間であるため、物を収納するための収納部はほとんどなく、そこでトイレットペーパー等のロールペーパーを保持するペーパーホルダ
を利用して物入れ収納容器を保持すべく、収納容器の底面に折り畳み可能な取付板を設けて、この取付板を壁面とペーパーホルダカバーとの隙間に挿入することで容器をペーパーホルダに保持することが提案されている(特許文献１参照)。
【特許文献１】特開２００４−３５２３３８
【発明の開示】
【発明が解決しようとする課題】
【０００３】
しかしながら、上記従来例では、容器自体に取付け手段が設けられているものだけにしかペーパーホルダに取り付けることができないという不都合があった。
本発明は上記問題点に鑑みてなされたもので、容器自体にペーパーホルダへの取付け手段が設けられていない容器でもペーパーホルダに保持可能な容器保持具を提供することを目的とする。
【課題を解決するための手段】
【０００４】
第１の手段として、壁面２への取付板３の両端に突設したロールペーパー保持板４間に、ペーパー切断兼用カバー６を設けたペーパーホルダ１における上記カバー６基端と取付板３との隙間に上方から差込み可能な差込み板１１を備え、該差込み板の先端から底板１３を突設して、該底板の両端から上記収納容器体２０の周壁２１に係合可能な弾性側板１４を起立すると共に、両弾性側板間の底板１３部分に、上記収納容器体２０の底壁に係合可能な凹凸の係合手段１９、２４を設けたことを特徴とする。
【０００５】
第２の手段として、第１の手段を有すると共に、弾性側板１４の先端部内面に、上記収納容器体２０の周壁２１に係合可能な係合爪１５を、また、先端部外面に指掛け片１７を、それぞれ設けたことを特徴とする。
【０００６】
第３の手段として、第１の手段を有すると共に、差込み板１１の基端部を屈曲して、該屈曲部を上記カバー６基端と取付板３との隙間に差込み可能に形成したことを特徴とする。
【発明の効果】
【０００７】
第１の手段に係る発明によれば、収納容器体２０を保持可能な保持具本体１２に、カバー６基端と取付板３との隙間に差込み可能な差込み板１１を備えているので、差込み板１１をカバー６基端と取付板３との隙間に差し込むだけで、収納容器体２０を保持可能な容器保持具をペーパーホルダ１の上方直近に簡単に設置することができる。
また、保持具本体１２の底板１３の両側から収納容器体２０の周壁２１に係合可能な弾性側板１４を起立すると共に、両弾性側板間の底板部分に、収納容器体２０の底壁に係合可能な凹凸の係合手段１９、２４を設けたので、収納容器体２０を取り付けるには、これを両弾性側板１４間に押し込めばよく、すると両弾性側板が外方に拡開すると共に、収納容器体底壁が凹凸の係合手段を介して底板に係合するため、収納容器体２０を容易に保持具本体１２に取り付けることができる。
さらに、収納容器体２０は係合爪１５による固定だけではなく、嵌合突起１９および凹部２４による凹凸の係合手段によっても固定されるため、壁面２と直交する方向ないし壁面２と平行する方向への収納容器体２０の移動が完全に防止される。
【０００８】
第２の手段に係る発明によれば、弾性側板１４の先端部内面に、上記収納容器体２０の周壁２１に係合可能な係合爪１５を、また、先端部外面に指掛け片１７を、それぞれ設けているので、係合爪により収納容器体が確実に保持されるとともに、指掛け片に指を掛けることで弾性側板を外方に拡開して収納容器体を容易に容器保持具から取外すことができる。
【０００９】
第３の手段に係る発明によれば、差込み板１１の基端部は屈曲されているので、差込み板の差込みにより保持具本体１２はペーパーホルダ１を上方から覆うように配置可能であり、したがって、ペーパーホルダの露出度が低減されると共に、収納容器体２０による装飾効果が得られ、しかも、収納容器体からの収納物の取り出しが容易である。
【発明を実施するための最良の形態】
【００１０】
以下、図面に示す実施の形態を参照しながら本発明を説明する。
図１において、１はペーパーホルダで、便所の壁面２に取り付けられた取付板３の左右両端からロールペーパー保持板４が突設され、これら一対の保持板４の内面に取り付けられた支持軸に、ロールペーパー５が巻出し可能に、かつ、交換可能に軸支されている。ロールペーパー５の上面にはペーパー切断兼用のカバー６が載置されており、このカバー６の後端(基端)は、一対の保持板４間に架け渡された回動軸に回動自在に軸支されている。
【００１１】
１０は容器保持具で、カバー６の後端と取付板３との隙間に差込み可能な差込み板１１と、差込み板１１の先端に突設された保持具本体１２とから形成されている。保持具本体１２は左右方向の底板１３と、底板１３の左右両端から起立する弾性変形自在な弾性側板１４とを備えており、これら底板１３と弾性側板１４とは前方視コ字状に形成されている。
【００１２】
弾性側板１４の上端部内面には、係合爪１５が突設されており、この係合爪１５の中央部には切欠部１６が形成されていると共に、係合爪１５の上面は、後述の収納容器体２０が両弾性側板１４間に押し込まれる際に、収納容器体を下方へ案内可能な傾斜面に形成されている。左右一対の係合爪１５の先端間の間隔は、収納容器体周壁の左右方向の最大幅よりも多少小さくなっている。一方、弾性側板１４の上端部外面には、先端部が斜め下外方へ屈曲された指掛け片１７が突設されている。
【００１３】
また、底板１３上面には、それぞれの弾性側板１４の下端部内面に近接した嵌合突起１９が前後方向に一対突設されている。これら嵌合突起１９は収納容器体２０の底壁に形成された凹部２４に嵌合可能に形成されている。
【００１４】
差込み板１１は、底板１３の後方側面の左右方向中間部から後方に突設され、かつ、底板後部は下方へほぼ直角に屈曲されており、下方への屈曲部分がカバー６の後端と取付板３との隙間に差込み可能な差込み部１１ａに形成されている。さらに、差込み部１１ａの後面には、取付板３の上面に係合可能な下向き段部１１ｂが形成されている。
【００１５】
２０は収納容器体で、左右方向に長い長方形状の横断面を有する角錐台状の周壁２１と、後端が周壁２１の後部上端に開方向へ付勢されて軸支され、かつ、前端が周壁２１前部上端に係合可能で、押釦２２の操作により係合が解除されて付勢力により開蓋する開閉蓋２３とから形成されており、弾性側板１４の係合爪１５は、周壁２１の左右両側部上面に係合可能に形成されている。また、収納容器体２０の底壁には嵌合突起１９に嵌合可能な凹部２４が形成されている。
【００１６】
次に作用について説明する。
容器保持具１０をペーパーホルダ１に取り付けるには、差込み板１１の差込み部１１ａを取付板３とカバー６後端との隙間に差し込んで、下向き段部１１ｂを取付板３の上面に係合させればよい。
【００１７】
収納容器体２０を容器保持具１０に取り付けるには、収納容器体２０の底壁を一対の弾性側板１４の係合爪１５上面に押し付ければよく、すると、一対の弾性側板１４が互いに離間する方向に拡開して収納容器体２０が弾性側板１４間に嵌合される。その際、収納容器体２０の周壁２１は角錐台状に形成されているから、収納容器体２０が押し込まれるに連れて、一対の弾性側板１４は、上記とは逆に互いに接近する方向に弾性変形する。
【００１８】
そして、収納容器体２０の底壁が底板１３に当たって、収納容器体底壁の凹部２４が嵌合突起１９に嵌合すると同時に、係合爪１５が収納容器体２０の周壁２１の左右両部上面に係合し、これによって収納容器体２０は容器保持具１０に固定される。このように収納容器体２０は係合爪１５による固定だけではなく、嵌合突起１９および凹部２４による凹凸の係合手段によっても固定されるため、収納容器体２０の前後方向への移動が完全に防止される。
なお、上記では、先に容器保持具１０をペーパーホルダ１に取り付けた後、収納容器体２０を容器保持体１０に取り付けているが、これに限らず、収納容器体２０を取り付けた状態の容器保持体１０をペーパーホルダ１に取り付けることも可能である。
【００１９】
図２は第２の実施形態を示すもので、本実施形態では、差込み板３１は、底板１３の下方側面の左右方向中間部から下方へ直線状に延設されており、また、差込み板３１の上部後面には、取付板３上面に係合可能な下向き段部３１ａが形成され、下向き段部３１ａよりも下方の差込み板３１部分が取付板３とカバー６後端との隙間に差し込まれる差込み部に形成されている。その他の構成は第１実施形態と同一であるから説明を省略する。
【００２０】
第２実施形態において、容器保持具１０をペーパーホルダ１に取り付けるには、差込み板３１の差込み部を取付板３とカバー６後端との隙間に差し込んで、下向き段部３１ａを取付板３上面に係合させればよく、すると底板１３と弾性側板１４とは前方を向いて、平面視コ字状を呈する。
【００２１】
収納容器体２０を容器保持具１０に取り付けるには、収納容器体２０の底壁を後方に向けて一対の弾性側板１４の係合爪１５上面に押し付ければよい。以後の作用は第１実施形態と同様であるから説明を省略する。
【００２２】
図３は第３の実施形態を示すもので、本実施形態では、差込み板４１は、下方の弾性側板１４が位置する底板１３の端部から下方に突設されており、また、差込み板４１の後面であって下方の弾性側板１４よりもやや下方位置には、取付板３上面に係合可能な下向き段部４１ａが形成され、下向き段部４１ａよりも下方の差込み板部分が取付板３とカバー６後端との隙間に差し込まれる差込み部に形成されている。その他の構成は第１実施形態と同一であるから説明を省略する。
【００２３】
容器保持具１０をペーパーホルダ１に取り付けるには、差込み板４１の差込み部を取付板３とカバー６後端との隙間に差し込んで、下向き段部４１ａを取付板３上面に係合させればよく、すると底板１３と弾性側板１４とは前方を向いて、側方視コ字状を呈する。
【００２４】
収納容器体２０を容器保持具１０に取り付けるには、収納容器体２０の底壁を後方に向けて一対の弾性側板１４の係合爪１５上面に押し付ければよい。以後の作用は第１実施形態と同様であるから説明を省略する。
【００２５】
図４は第４の実施形態を示すもので、本実施形態では、差込み板５１は、後方の弾性側板１４が位置する底板１３の下面から下方に突設されており、また、差込み板５１の後面上部には、取付板３上面に係合可能な下向き段部５１ａが形成され、下向き段部５１ａよりも下方の差込み板部分が取付板３とカバー６後端との隙間に差し込まれる差込み部に形成されている。その他の構成は第１実施形態と同一であるから説明を省略する。
【００２６】
容器保持具１０をペーパーホルダ１に取り付けるには、差込み板５１の差込み部を取付板３とカバー６後端との隙間に差し込んで、下向き段部５１ａを取付板３上面に係合させればよく、すると底板１３と弾性側板１４とは上方を向いて、側方視コ字状を呈する。
【００２７】
収納容器体２０を容器保持具１０に取り付けるには、収納容器体２０の底壁を下方に向けて一対の弾性側板１４の係合爪１５上面に押し付ければよい。以後の作用は第１実施形態と同様であるから説明を省略する。
【図面の簡単な説明】
【００２８】
【図１】本発明の第1の実施形態による容器保持具をペーパーホルダに取り付けた状態を示す斜視図である。
【図２】図１の容器保持具の斜視図である。
【図３】収納容器体を容器保持具に取り付けた状態を示す斜視図である。
【図４】収納容器体の底面図である。
【図５】第２実施形態による容器保持具をペーパーホルダに取り付けた状態を示す斜視図である。
【図６】収納容器体を容器保持具に取り付けた状態を示す斜視図である。
【図７】第３実施形態による容器保持具をペーパーホルダに取り付けた状態を示す斜視図である。
【図８】収納容器体を容器保持具に取り付けた状態を示す斜視図である。
【図９】第３実施形態による容器保持具をペーパーホルダに取り付けた状態を示す斜視図である。
【図１０】収納容器体を容器保持具に取り付けた状態を示す斜視図である。
【符号の説明】
【００２９】
１  ペーパーホルダ
２  壁面
３  取付板
４  ロールペーパー保持板
５  ロールペーパー
６  カバー
１０  容器保持具
１１、３１、４１、５１  差込み板
１２  保持具本体
１３  底板
１４  弾性側板
２０  収納容器
２１  周壁
【図１】
0004693057.tif 000002
【図２】
0004693057.tif 000003
【図３】
0004693057.tif 000004
【図４】
0004693057.tif 000005
【図５】
0004693057.tif 000006
【図６】
0004693057.tif 000007
【図７】
0004693057.tif 000008
【図８】
0004693057.tif 000009
【図９】
0004693057.tif 000010
【図１０】
0004693057.tif 000011